(57)【要約】      （修正有）【課題】高張力応力の負荷を受けている状態でも、スリーブにある隙間が増大しない取囲式枢軸を提供する。【解決手段】シャフト３と、スリーブ４と、を含む取囲式枢軸において、前記スリーブは、少なくとも一つの取囲本体４１と、少なくとも一つの突出部４２と、少なくとも一つの凹み部４３と、を含み、前記取囲本体は、第一端部から第二端部に延びており、前記シャフトを取囲んでおり、前記突出部は、前記第一端部から延びており、前記第一端部と連接しておりネック部幅を有するネック部と、前記ネック部と連接しておりヘッド部幅を有するヘッド部と、を含み、前記凹み部は、前記第二端部から凹んでおり、前記突出部と係合可能であり、前記第二端部と連接しておりネック収容部幅を有し、ネック部に合せ可能なネック収容部と、前記ネック収容部から凹んでおりヘッド収容部幅を有し前記ヘッド部に合せ可能なヘッド収容部と、を含む。【選択図】図３
0003144646.tif 000002
【実用新案登録請求の範囲】
【請求項１】
シャフトと、スリーブと、を含む取囲式枢軸において、
前記スリーブは、少なくとも一つの取囲本体と、少なくとも一つの突出部と、少なくとも一つの凹み部と、を含み、
前記取囲本体は、第一端部から第二端部に延びており、前記シャフトを取囲んでおり、
前記突出部は、前記第一端部から延びており、前記第一端部と連接しておりネック部幅を有するネック部と、前記ネック部と連接しておりヘッド部幅を有するヘッド部と、を含み、
前記凹み部は、前記第二端部から凹んでおり、前記突出部と係合可能であり、前記第二端部と連接しておりネック収容部幅を有し前記ネック部に合せ可能なネック収容部と、前記ネック収容部から凹んでおりヘッド収容部幅を有し前記ヘッド部に合せ可能なヘッド収容部と、を含み、
前記ネック部幅は前記ヘッド部幅よりも小さく、前記ネック収容部幅は前記ヘッド収容部幅よりも小さく、前記ヘッド部幅は前記ネック収容部幅よりも大きいことを特徴とする取囲式枢軸。
【請求項２】
前記取囲本体は、取囲方向に沿って前記シャフトを取囲んでいることを特徴とする、請求項１に記載の取囲式枢軸。
【請求項３】
前記突出部は、前記取囲方向に沿って延びていることを特徴とする、請求項２に記載の取囲式枢軸。
【請求項４】
前記凹み部は、前記取囲方向に沿って凹んでいることを特徴とする、請求項２に記載の取囲式枢軸。
【請求項５】
前記突出部は、前記取囲方向の反対方向に沿って延びていることを特徴とする、請求項２に記載の取囲式枢軸。
【請求項６】
前記凹み部は、前記取囲方向の反対方向に沿って凹んでいることを特徴とする、請求項２に記載の取囲式枢軸。
【請求項７】
前記ヘッド部は、前記ネック部から延びており円形を呈するプレートであることを特徴とする、請求項１に記載の取囲式枢軸。
【請求項８】
前記ヘッド部は、前記ネック部から延びておりＴ字形を呈するプレートであることを特徴とする、請求項１に記載の取囲式枢軸。
【請求項９】
前記ヘッド部は、前記ネック部から延びており台形を呈するプレートであることを特徴とする、請求項１に記載の取囲式枢軸。
【請求項１０】
前記ヘッド収容部は、前記ネック収容部から凹んでおり円形を呈する凹みであることを特徴とする、請求項１に記載の取囲式枢軸。
【請求項１１】
前記ヘッド収容部は、前記ネック収容部から凹んでおりＴ字形を呈する凹みであることを特徴とする、請求項１に記載の取囲式枢軸。
【請求項１２】
前記ヘッド収容部は、前記ネック収容部から凹んでおり台形を呈する凹みであることを特徴とする、請求項１に記載の取囲式枢軸。
【考案の詳細な説明】
【技術分野】
【０００１】
本考案は、枢軸に関し、特に、スリーブには、凹み部と、前記凹み部と係合している突出部と、が設けられていることにより、高張力応力の負荷を受けている状態でも、スリーブにある隙間が増大しない取囲式枢軸に関するものである。
【背景技術】
【０００２】
日常生活において、折畳式のものの折畳及び展開を便利にするために、両側の部材の間に枢軸を組付けることが一般である。従来の枢軸は、一般に、オス軸１とメス軸２とから構成される。前記オス軸1は、一般に、シャフト１１と、連結部１２と、を含み、なお、前記メス軸２は、一般に、スリーブ２１と、連結部２２と、を含む。一般に、オス軸１のシャフト１１はメス軸２のスリーブ２１と旋回可能に結合しており、オス軸１の連結部１２が第一部材（図示せず）と連結しており、なお、メス軸２の連結部１２が第二部材（図示せず）と連結している。これにより、第一部材はシャフト１１の軸心を中心として第二部材に対して旋回可能である。
【０００３】
次に、図２を参照する。従来の枢軸のスリーブ２１は金属プレートを円筒形状に湾折して形成され、なお、シャフト１１に対する取囲みをぴったりにするために、スリーブ２１に凸部２１１，２１１が形成されており、凸部２１１，２１１の幅を狭くすることにより、塑性変形の可能性が増加する。このように、前記金属プレートを湾折した後、シャフト１１に対する取囲みがぴったりになる。
【０００４】
しかしながら、スリーブ２１とシャフト１１を多数回に相対回動したとき、更に、スリーブ２１が作製されたばかりに、スリーブ２１の隙間２１２が大きくなってしまい、これにより、スリーブ２１とシャフト１１の間のトルクが急に降下する欠点があった。
【考案の開示】
【考案が解決しようとする課題】
【０００５】
本考案の主な目的は、高張力応力の負荷を受けている状態でも、スリーブにある隙間が増大しない取囲式枢軸を提供することにある。
【課題を解決するための手段】
【０００６】
本考案の請求項１に記載の取囲式枢軸によると、シャフトと、スリーブと、を含む取囲式枢軸において、前記スリーブは、少なくとも一つの取囲本体と、少なくとも一つの突出部と、少なくとも一つの凹み部と、を含み、前記取囲本体は、第一端部から第二端部に延びており、前記シャフトを取囲んでおり、前記突出部は、前記第一端部から延びており、前記第一端部と連接しておりネック部幅を有するネック部と、前記ネック部と連接しておりヘッド部幅を有するヘッド部と、を含み、前記凹み部は、前記第二端部から凹んでおり、前記突出部と係合可能であり、前記第二端部と連接しておりネック収容部幅を有し前記ネック部に合せ可能なネック収容部と、前記ネック部から凹んでおりヘッド収容部幅を有し、前記ヘッド部に合せ可能なヘッド収容部と、を含み、前記ネック部幅は前記ヘッド部幅よりも小さく、前記ネック収容部幅は前記ヘッド収容部幅よりも小さく、前記ヘッド部幅は前記ネック収容部幅よりも大きいことを特徴とする取囲式枢軸である。
【０００７】
本考案の請求項２に記載の取囲式枢軸によると、前記取囲本体は、取囲方向に沿って前記シャフトを取囲んでいる。
【０００８】
本考案の請求項３に記載の取囲式枢軸によると、前記突出部は、前記取囲方向に沿って延びている。
【０００９】
本考案の請求項４に記載の取囲式枢軸によると、前記凹み部は、前記取囲方向に沿って凹んでいる。
【００１０】
本考案の請求項５に記載の取囲式枢軸によると、前記突出部は、前記取囲方向の反対方向に沿って延びている。
【００１１】
本考案の請求項６に記載の取囲式枢軸によると、前記凹み部は、前記取囲方向の反対方向に沿って凹んでいる。
【００１２】
本考案の請求項７に記載の取囲式枢軸によると、前記ヘッド部は、前記ネック部から延びており円形を呈するプレートである。
【００１３】
本考案の請求項８に記載の取囲式枢軸によると、前記ヘッド部は、前記ネック部から延びておりＴ字形を呈するプレートである。
【００１４】
本考案の請求項９に記載の取囲式枢軸によると、前記ヘッド部は、前記ネック部から延びており台形を呈するプレートである。
【００１５】
本考案の請求項１０に記載の取囲式枢軸によると、前記ヘッド収容部は、前記ネック収容部から凹んでおり円形を呈する凹みである。
【００１６】
本考案の請求項１１に記載の取囲式枢軸によると、前記ヘッド収容部は、前記ネック収容部から凹んでおりＴ字形を呈する凹みである。
【００１７】
本考案の請求項１２に記載の取囲式枢軸によると、前記ヘッド収容部は、前記ネック収容部から凹んでおり台形を呈する凹みである。
【００１８】
（考案の効果）
本考案の取囲式枢軸によれば、高張力応力の負荷を受けている状態でも、スリーブにある隙間が増大しないという効果を有する。
【考案を実施するための最良の形態】
【００１９】
以下、本考案の実施の形態を図面に基づいて説明する。
（実施例１）
まず、図３及び図４を参照する。図３は本考案の実施例１に係る取囲式枢軸の分解斜視図であり、図４は本考案の実施例１に係るスリーブの金属プレートの上面図である。本考案に係る取囲式枢軸１００は、シャフト３と、シャフト３を取囲んでいるスリーブ４と、を含み、シャフト３を回転しているときには、スリーブ４がシャフト３にトルクを加えており、このトルクを超えないとシャフト３は回動することができない。
【００２０】
スリーブ４は、図４に示すように、プレス加工や湾折加工などによって金属プレートを成形して作製され、少なくとも一つの取囲本体４１と、少なくとも一つの突出部４２と、少なくとも一つの凹み部４３と、取囲本体４１から延びている固定部４４と、を含み、固定部４４は別の部品（図示せず）を固定するためのものである。取囲本体４１は、取囲方向Ｄに沿って第一端部４１１から第二端部４１２まで延びており、シャフト３を取囲んでおり、本実施例では、取囲本体４１の数量が二つであり、別の本実施例では、取囲本体４１の数量は、一個であってもいいし、３個以上あってもよく、勿論、本考案はこれらの実施例に限定されない。
【００２１】
突出部４２は、取囲方向Ｄに沿って第一端部４１１から延びており、第一端部４１１と連接しておりネック部幅Ａ１を有するネック部４２１と、ネック部４２１と連接しておりヘッド部幅Ａ２を有するヘッド部４２２と、を含み、ヘッド部４２２は、ネック部４２１から延びており円形を呈するプレートであり、ネック部幅Ａ１は前記ヘッド部幅Ａ２よりも小さい。
【００２２】
凹み部４３は、取囲方向Ｄの反対方向に沿って第二端部４１２から凹んでおり、突出部４２と係合可能であり、第二端部４１２と連接しておりネック収容部幅Ｂ１を有しネック部４２１に合せ可能なネック収容部４３１と、ネック収容部４３１から凹んでおりヘッド収容部幅Ｂ２を有し前記ヘッド部４２２に合せ可能なヘッド収容部４３２と、を含み、なお、突出部４２と凹み部４３の形状は、円形を呈してもいいし、Ｔ字形を呈してもいいし、台形を呈してもいいし、両者を係止可能な何れかの形状にしてもよい。
【００２３】
スリーブを成形しているときには、凹み部４３に突出部４２が合せられており、且つネック収容部幅Ｂ１がヘッド収容部幅Ｂ２よりも小さく、ヘッド部幅Ａ２がネック収容部幅Ｂ１よりも大きいので、凹み部４３に突出部４２を係合することができる。
【００２４】
このように、スリーブ４が作製された後、スリーブ４とシャフト３を多数回に相対回動しても、係合箇所では高張力応力が長期に加えられているので、スリーブ４の第一端部４１１と第二端部４１２の間の隙間は増大しない。これにより、シャフト３とスリーブ４の間のトルクは急に降下しなくなる。すなわち、スリーブ３の取囲本体４１はより大きい張力負荷を受けることができる。
【００２５】
（実施例２）
次に、図５及び図６を参照する。図５は本考案の実施例２に係る取囲式枢軸２００の分解斜視図であり、図６は本考案の実施例２に係るスリーブ４ａの金属プレートの上面図である。実施例２と実施例１の相違する点は、実施例２では、スリーブ４ａは、取囲本体４１ａ，４１ｂ，４１ｃ，４１ｄと、突出部４２ａ，４２ｂ，４２ｃ，４２ｄと、凹み部４３ａ，４３ｂ，４３ｃ，４３ｄと、を含み、取囲本体４１ａ，４１ｃは取囲方向Ｄに沿ってシャフト３を取囲んでいる。突出部４２ａ，４２ｃは取囲方向Ｄに沿って延びており、凹み部４３ａ，４３ｃは取囲方向Ｄの反対方向に沿って凹んでいる。そして突出部４２ａ，４２ｃはそれぞれ凹み部４３ａ，４３ｃと係合している。
【００２６】
取囲本体４１ｂ，４１ｄは取囲方向Ｄの反対方向に沿ってシャフト３を取囲んでおり、突出部４２ｂ，４２ｄは取囲方向Ｄの反対方向に沿って延びており、凹み部４３ｂ，４３ｄは取囲方向Ｄの反対方向に沿って凹んでいる。そして突出部４２ｂ，４２ｄはそれぞれ凹み部４３ｂ，４３ｄと係合している。
【００２７】
取囲本体４１ａ，４１ｂ，４１ｃ，４１ｄは、係合箇所がずれされているようにシャフト３を取囲んでおり、これにより、枢軸は更に大きい二方向トルクを受けることができる。
【００２８】
ヘッド部４２２ａはネック部４２１ａから延びており台形を呈するプレートであり、ヘッド部４２２ｂはネック部４２１ｂから延びており台形を呈するプレートであり、ヘッド部４２２ｃはネック部４２１ｂから延びており円形を呈するプレートである。ヘッド部４２２ｄはネック部４２１ｂから延びておりＴ字形を呈するプレートであり、ヘッド収容部４３２ａはネック収容部４３１ａから延びており台形を呈する凹みであり、ヘッド収容部４３２ｂはネック収容部４３１ｂから延びており台形を呈する凹みであり、ヘッド収容部４３２ｃはネック収容部４３１ｃから延びており円形を呈する凹みであり、ヘッド収容部４３２ａはネック収容部４３１ａから延びておりＴ字形を呈する凹みである。
【００２９】
上記では、種々の実施の形態および変形例を説明したが、本考案はこれらの内容に限定されるものではない。本考案の技術的思想の範囲内で考えられるその他の態様も本考案の範囲内に含まれる。
【図面の簡単な説明】
【００３０】
【図１】従来の枢軸の構造を示す分解斜視図である。
【図２】従来の枢軸の金属プレートの上面図である。
【図３】本考案の実施例１に係る取囲式枢軸の分解斜視図である。
【図４】本考案の実施例１に係るスリーブの金属プレートの上面図である。
【図５】本考案の実施例２に係る取囲式枢軸の分解斜視図である。
【図６】本考案の実施例２に係るスリーブの金属プレートの上面図である。
【符号の説明】
【００３１】
１：オス軸、２：メス軸、３：シャフト、４：スリーブ、１１：シャフト、１２：連結部、２１：スリーブ、２２：連結部、４１，４１ａ，４１ｂ，４１ｃ，４１ｄ：取囲本体、４２，４２ａ，４２ｂ，４２ｃ，４２ｄ：突出部、４３，４３ａ，４３ｂ，４３ｃ，４３ｄ：凹み部、４４：固定部、１００，２００：取囲式枢軸、２１１：凸部、２１２：隙間、４１１：第一端部、４１２：第二端部、４２１，４２１ａ，４２１ｂ，４２１ｃ，４２１ｄ：ネック部、４２２，４２２ａ，４２２ｂ，４２２ｃ，４２２ｄ：ヘッド部、４３１，４３１ａ，４３１ｂ，４３１ｃ，４３１ｄ：ネック収容部、４３２，４３２ａ，４３２ｂ，４３２ｃ，４３２ｄ：ヘッド収容部、Ａ１：ネック部幅、Ａ２：ヘッド部幅、Ｂ１：ネック収容部幅、Ｂ２：ヘッド収容部幅、Ｄ：取囲方向。
【図１】
0003144646.tif 000003
【図２】
0003144646.tif 000004
【図３】
0003144646.tif 000005
【図４】
0003144646.tif 000006
【図５】
0003144646.tif 000007
【図６】
0003144646.tif 000008